(57)【特許請求の範囲】
【請求項１】
植物が収容される複数の栽培容器を鉛直方向の高さが異なる複数の位置で支持するための複数の支持部を有する支持枠と、複数の前記支持部を結ぶ直線の鉛直方向に対する傾斜角度を変更するための傾斜角度変更手段と、を備えてなる栽培装置を複数備えてなる栽培システムであって、
前記栽培装置各々における複数の前記支持部を結ぶ直線の鉛直方向に対する傾斜角度を連動して変化させる連動手段を備えてなる栽培システム。
【請求項２】
前記連動手段が、前記栽培装置各々の傾斜角度を均等に変化させるものである請求項１に記載の栽培システム。
【請求項３】
前記支持枠が、複数の前記支持部が設けられた少なくとも一対の脚部が側面視で逆Ｖ字状に連結されたものであり、
前記傾斜角度変更手段が、前記一対の脚部の連結箇所に設けられて前記脚部各々を回動可能に連結する回動連結部材と、前記脚部各々の下端部に設けられて前記脚部各々を相対的に離間及び接近する方向に走行可能に支持する回動支持部材とを含むものである請求項１又は２に記載の栽培システム。
【請求項４】
前記支持部は、前記栽培容器各々の一部又は全部を前記支持枠の内部空間に位置した状態で支持するものである請求項１〜３のいずれかに記載の栽培システム。
【請求項５】
前記支持部は、前記栽培容器を吊り下げるものである請求項１〜４のいずれかに記載の栽培システム。
【請求項６】
前記栽培容器は、光を反射又は散乱させる外周面を有するものである請求項１〜５のいずれかに記載の栽培システム。
【請求項７】
前記栽培容器は、白色の外周面を有する袋状の容器である請求項６に記載の栽培システム。
【請求項８】
前記植物が馬鈴薯又は甘藷である請求項１〜７のいずれかに記載の栽培システム。
【発明の詳細な説明】
【技術分野】
【０００１】
本発明は、芋などの植物を栽培するために用いられる栽培装置、栽培システム、及びこれらを用いた栽培方法に関するものである。
【背景技術】
【０００２】
一般に、複数の栽培容器を上下方向に多層配置することのできる栽培システムが知られている（例えば特許文献１参照）。このように複数の栽培容器を多層配置すれば、小さな土地面積で多数の栽培容器を用いて多量の植物を同時期に栽培することができる。但し、複数の栽培容器を上下方向に多層配置すると、上層の照度環境に比べて下層の照度環境が悪くなる。
一方、例えば特許文献２には、鉛直方向に対して予め定められた角度傾斜したワイヤネット面に多数の栽培容器を懸架する栽培装置が開示されている。この栽培装置によれば、鉛直方向における栽培容器各々の重なりが少ないため、ワイヤネット面の下層で支持された栽培容器における照度環境が改善される。
【先行技術文献】
【特許文献】
【０００３】
【特許文献１】特開２００１−２３１３５４号公報
【特許文献２】登録実用新案第３１１４０６６号公報
【発明の概要】
【発明が解決しようとする課題】
【０００４】
ところで、例えば馬鈴薯（ジャガイモ）又は甘藷（サツマイモ）などの芋の栽培に要する期間のうち芋の根、茎、及び葉がある程度育つまでの期間は低い照度環境でも芋の根、茎、及び葉が十分に育つことがわかった。一方、芋の根、茎、及び葉がある程度育った後の期間は高い照度環境で栽培を行うことが望ましい。即ち、芋のように、必要な照度環境が成長の過程で異なる植物を栽培する際には、常に十分高い照度環境を必要とする訳ではない。そのため、常に十分高い照度環境を実現するべく複数の栽培容器を鉛直方向の重なりが少なくなるように配置すると、芋の成長過程の前半において無駄に広い占有面積を使用することになる。
従って、本発明は前記事情に鑑みてなされたものであり、その目的とするところは、上下方向に多層配置された栽培容器の照度環境及び圃場における占有面積を容易に変更することのできる栽培装置、栽培システム、及びこれを用いた栽培方法を提供することにある。
【課題を解決するための手段】
【０００５】
前記目的を達成するために、本発明は、植物が収容される複数の栽培容器を鉛直方向の高さが異なる複数の位置で支持するための複数の支持部を有する支持枠と、複数の前記支持部を結ぶ直線の鉛直方向に対する傾斜角度を変更するための傾斜角度変更手段と、を備えてなる栽培装置として構成される。
本発明によれば、複数の前記支持部を結ぶ直線の鉛直方向に対する傾斜角度を変更することにより前記栽培容器各々の鉛直方向における重なりの程度が変更される。従って、前記植物の成長過程に従って前記栽培装置で支持される前記栽培容器各々の照度環境を容易に変更することができる。また、複数の前記支持部を結ぶ直線の鉛直方向に対する傾斜角度を変更することにより前記支持枠を設置するための占有面積が変更される。従って、前記植物の成長過程において低い照度環境で足りる時期は前記傾斜角度を緩やかにして前記栽培装置の占有面積を小さくし、高い照度環境が必要な時期は傾斜角度を急にして下層の前記栽培容器に高い照度を与えることができる。例えば、前記植物は馬鈴薯又は甘藷であることが考えられ、この場合には、馬鈴薯又は甘藷の成長過程において芋苗の葉が２０枚〜５０枚に成長するまでの時期は傾斜角度を緩やかにして、根又は茎が子芋として成長する時期には傾斜角度を急にすることが考えられる。
より具体的に、前記支持枠は、複数の前記支持部が設けられた少なくとも一対の脚部が側面視で逆Ｖ字状に連結されたものであることが考えられる。この場合、前記傾斜変更手段は、前記一対の脚部の連結箇所に設けられて前記脚部各々を回動可能に連結する回動連結部材と、前記脚部各々の下端部に設けられて前記脚部各々を相対的に離間及び接近する方向に走行可能に支持する回動支持部材とを含むものであることが考えられる。これにより、複数の前記支持部を結ぶ直線の鉛直方向に対する傾斜を変更することができる構成が簡易な構成で実現される。
ところで、前記支持部は、前記栽培容器各々の一部又は全部を前記支持枠の内部空間に位置した状態で支持するものであることが考えられる。より具体的に、前記支持部は、前記栽培容器を吊り下げることにより、前記栽培容器の自重で前記栽培容器の一部又は全部を前記支持枠の内部空間に位置させるものであることが考えられる。このような構成によれば、前記支持枠の内部空間を有効に利用することができ、前記栽培装置の外部空間における前記栽培容器の占有領域が小さくなり、ユーザーによる植物の収穫作業や前記栽培容器の設置作業などを行うためのスペースを広く確保することができる。
さらに、前記栽培容器は、光を反射又は散乱させる外周面を有するものであることが望ましい。例えば、前記栽培容器は白色の外周面を有する袋状の容器である。なお、前記袋状の容器は、例えばポリオレフィン、ポリエチレン、又はポリ塩化ビニル等で作られた袋や、布又は黄麻等で織った袋などである。このような構成によれば、前記栽培装置の上層に配置された前記栽培容器で反射又は散乱した光を、下層に配置された前記栽培容器に照射させることができ、前記栽培装置に照射される光量を有効に利用することができる。
【０００６】
また、本発明は、前記栽培装置を複数備えてなる栽培システムの発明として捉えることも可能である。前記栽培システムによれば、予め定められた圃場の面積において、前記栽培装置各々における複数の前記支持部を結ぶ直線の鉛直方向に対する傾斜角度を異なる状態にすることにより、異なる成長段階の前記植物を並行して栽培することができ、同じ面積の圃場を用いた場合における植物の収穫量を増加させることができる。
特に、前記栽培システムは、前記栽培装置各々における複数の前記支持部を結ぶ直線の鉛直方向に対する傾斜角度を連動して変化させる連動手段を備えることが望ましい。これにより、ユーザーは、複数の前記栽培装置の開閉を容易に行うことができる。
また、前記連動手段が、前記栽培装置各々の傾斜角度を均等に変化させるものであることが望ましい。これにより、前記栽培装置各々の傾斜角度を個々に調整する必要がないため、ユーザーによる栽培作業の手間をより軽減することができる。
【０００７】
さらに、本発明は、栽培装置を用いて植物を栽培する栽培方法であって、前記植物の成長に伴って前記栽培装置の傾斜角度を順次変更する栽培方法として捉えてもよい。
また、本発明は、前記栽培システムを用いて植物を栽培する栽培方法であって、予め定められた占有面積において複数の前記栽培装置を前記植物の異なる成長段階に対応する傾斜角度で使用する栽培方法として捉えてもよい。
【発明の効果】
【０００８】
本発明によれば、上下方向に多層配置された栽培容器各々に照射される光量を容易に調節することのできる栽培システムを提供することができる。
【図面の簡単な説明】
【０００９】
【図１】本発明の実施形態に係る栽培装置１の概略構成を示す模式図。
【図２】本発明の実施形態に係る栽培装置１を側面から見た模式図。
【図３】本発明の実施形態に係る栽培装置１の使用状態を示す模式図。
【図４】本発明の実施形態に係る栽培システム２の使用状態を示す模式図。
【図５】本発明の実施形態に係る栽培システム２の使用状態を示す模式図。
【図６】本発明の実施形態に係る栽培システム３の概略構成を示す模式図。
【発明を実施するための形態】
【００１０】
以下添付図面を参照しながら、本発明の実施形態について説明し、本発明の理解に供する。なお、以下の実施形態は、本発明を具体化した一例であって、本発明の技術的範囲を限定する性格のものではない。
【００１１】
［栽培装置１］
図１及び図２に示すように、本実施形態に係る栽培装置１は、馬鈴薯又は甘藷などの芋の苗及び土壌が収容された複数の栽培容器５１を支持するものである。なお、本実施の形態では、前記栽培装置１を芋の栽培に用いる場合を例に挙げて説明するがこれに限らない。例えば、前記栽培装置１は、イチゴなどの果物及び大根などの根菜などの植物を栽培するために用いることも可能である。
ここに、前記栽培容器５１は、外周面が光の反射率の高い白色であって、上端に持ち手を有するビニール袋（袋状の容器の一例）である。前記ビニール袋とは、例えばポリオレフィン、ポリエチレン、又はポリ塩化ビニル等で作られた袋である。なお、前記ビニール袋の色は、光の反射率が高ければ、白色に限らない。また、前記栽培容器５１の底面には排水のための微少な開口が形成されている。もちろん、前記栽培容器５１は、外周面の光の反射率又は散乱率が高い栽培容器やペットボトルなどの他の容器であってもよい。なお、前記栽培容器５１の外周面に光の反射率又は散乱率が高い部材を貼付すること等も考えられる。また、前記ビニール袋に代えて、布や黄麻等で織った袋などを用いることも考えられ、この場合、袋に開口が形成されていなくても水はけが良くなる。
【００１２】
前記栽培装置１は、所定間隔を設けて補強部材１３により連結固定された２本の脚部１１と、所定間隔を設けて補強部材２３により連結固定された２本の脚部２１とを備えている。なお、前記脚部１１、前記脚部２１、前記補強部材１３、及び前記補強部材２３などには、例えばＬ字アングル等の棒状部材を用いればよい。前記栽培装置１では、一対の前記脚部１１及び前記脚部２１が本発明に係る支持枠の一例である。なお、前記脚部１１及び前記脚部２１の数は２本に限らず３本以上であってもよい。さらに、２本の前記脚部１１及び２本の前記脚部２１に代えて２枚の板状部材を支持枠として用いてもよい。また、前記栽培装置１は、前記脚部１１及び前記脚部２１により逆Ｖ字状が形成されたものであるがこれに限らず、例えば前記栽培装置１は傘のように放射状に設けられた複数の脚部が開閉可能な構成であってもよい。
前記脚部１１には、複数の前記栽培容器５１を鉛直方向の高さが異なる複数の位置に吊り下げるための支持部材３１を支持する複数の支持部１２が設けられている。また、前記脚部２１には、複数の前記栽培容器５１を鉛直方向の高さが異なる複数の位置に吊り下げるための支持部材３１を支持する複数の支持部２２が設けられている。なお、前記支持部材３１には、例えば物干し竿又はＬ字アングルなどの棒状部材を用いればよい。
このように、前記栽培装置１では、前記脚部１１、前記脚部２１、前記補強部材１３、及び前記補強部材２３により外装が構成されており、その内部には空間が形成されている。従って、前記栽培装置１では、前記支持部材３１に吊り下げられた前記栽培容器５１の少なくとも一部が自重で前記栽培装置１の外装の内部空間に位置する。これにより、前記栽培装置１の外部空間における前記栽培容器５１の占有領域が小さくなり、ユーザーによる植物の収穫作業や前記栽培容器５１の設置作業などを行うためのスペースを広く確保することができる。
【００１３】
そして、内部に植物の苗及び土壌が収容された複数の前記栽培容器５１が吊り下げられた前記支持部材３１は、所定間隔を空けて配置された前記脚部１１の前記支持部１２各々に橋架される。同じく、複数の前記栽培容器５１が吊り下げられた前記支持部材３１が所定間隔を空けて配置された前記脚部２１の前記支持部２２各々にも橋架される。
これにより、前記栽培装置１では、複数の前記支持部材３１が複数の前記支持部１２及び複数の前記支持部２２で支持されることにより、複数の前記栽培容器５１を鉛直方向の複数の階層に分けて吊り下げる多層構造が具現される。従って、前記栽培装置１によれば、芋を平面上で栽培する場合に比べて、同じ面積で多量の植物を栽培することができる。
また、前記栽培装置１において上層に配置された前記栽培容器５１に照射された光は、前記栽培容器５１の外周面で反射又は散乱して、下層に配置された前記栽培容器５１に照射される。従って、前記栽培装置１では、太陽光や人工照明などの光を無駄なく有効に利用して植物を栽培することができる。なお、前記支持部材３１は、異なる前記支持部２２の間で容易に移動させることができるため、前記栽培装置１に設けられた前記栽培容器５１各々の照度環境を容易に変更することや、前記栽培容器５１の設置及び収穫が容易である。
【００１４】
但し、前記栽培装置１において、前記脚部１１及び前記脚部２１の開閉角度が小さく、前記脚部１１及び前記脚部２１の鉛直方向に対する傾斜角度が緩やかな場合には、前記脚部１１及び前記脚部２１の下層で支持された前記栽培容器５１に日光が当たりにくい。一方、前記栽培装置１において、前記脚部１１及び前記脚部２１の開閉角度が大きく、前記脚部１１及び前記脚部２１の鉛直方向に対する傾斜角度が急な場合には、前記脚部１１及び前記脚部２１の下端部の間隔が広くなるため、前記栽培装置１の設置面積が広くなる。
これに対し、前記栽培装置１では、前記脚部１１及び前記脚部２１が開閉自在に構成されており、前記脚部１１及び前記脚部２１の鉛直方向に対する傾斜角度を任意に変更することが可能である。
【００１５】
具体的に、前記栽培装置１は、前記脚部１１及び前記脚部２１を逆Ｖ字状に連結して回動可能に支持する回動軸４１を備えている。さらに、前記栽培装置１は、前記脚部１１各々の下端部に設けられた回転自在の車輪１４と、前記脚部２１各々の下端部に設けられた回転自在の車輪２４とを備えている。より具体的に、前記脚部１１及び前記脚部２１の下端部は前記車輪１４及び前記車輪２４により相互に離間又は接近する方向に走行可能に支持されている。
これにより、前記栽培装置１では、前記脚部１１及び前記脚部２１に相対的に離間する方向又は接近する方向に外力が作用すると、前記脚部１１及び前記脚部２１は、前記回動軸４１、前記車輪１４、及び前記車輪２４などの回動により開閉する。即ち、前記栽培容器５１各々を結ぶ直線の鉛直方向に対する傾斜角度が変更される。ここに、前記回動軸４１、前記車輪１４、及び前記車輪２４が本発明に係る傾斜角度変更手段の一例である。
なお、前記車輪１４には、前記車輪１４の回動の可否を切り替えるストッパー１４Ａが設けられ、前記車輪２４には、前記車輪２４の回動の可否を切り替えるストッパー２４Ａが設けられている。これにより、前記脚部１１及び前記脚部２１の開閉は、前記ストッパー１４Ａ及び前記ストッパー２４Ａにより制限することができる。もちろん、前記脚部１１及び前記脚部２１の開閉を制限する手段としては、前記車輪１４及び前記車輪２４の回動を制限するものに限らず、例えば前記脚部１１及び前記脚部２１を連結固定する連結部材を用いてもよい。
【００１６】
［栽培方法］
次に、図３を参照しつつ、前記栽培装置１を用いた栽培方法の一例について説明する。ここで、図３における左右方向は東西の方向である。
当該栽培方法では、以下の播種工程、育苗工程、成長工程の各段階において、芋の成長に伴って前記栽培装置１の開閉状態（傾斜角度）を順次変更する。なお、前記栽培装置１の開閉状態を２段階に変更すること、又は４段階以上に変更することも他の実施形態として考えられる。また、ここで説明する前記栽培装置１における前記脚部１１及び前記脚部２１の開閉角度は一例に過ぎない。
【００１７】
（播種工程）
まず、前記栽培装置１を使用しない時期、又は種を植える播種時期で高い照度環境が必要のない時期は、図３（Ａ）に示すように前記脚部１１及び前記脚部２１を閉じた状態で使用する。
【００１８】
（育苗工程）
次に、前記栽培容器５１に収容された芋の苗の葉が２０枚〜５０枚に成長するまでの時期（例えば３〜８週間）は、図３（Ｂ）に示すように前記脚部１１及び前記脚部２１を約２０°開いた状態で使用する。この状態では、前記栽培装置１の下層に設けられた前記栽培容器５１に照射される光を前記播種工程の状態に比べて増加させることができる。
【００１９】
（成長工程）
さらに、前記栽培容器５１に収容された芋の苗の葉が２０枚〜５０枚に成長した後、根又は茎が子芋として成長する時期（例えば５〜１０週間）は、図３（Ｃ）に示すように、前記脚部１１及び前記脚部２１を約３０°開いた状態で使用する。この状態では、前記栽培装置１の下層に設けられた前記栽培容器５１に照射される光を前記育苗工程の状態に比べて更に増加させることができる。
【００２０】
［栽培システム２］
続いて、図４及び図５を参照しつつ複数の前記栽培装置１を用いて芋などの植物を栽培する方法について説明する。
図４及び図５に示すように、当該栽培方法は、複数の前記栽培装置１が予め定められた占有面積を有する敷地内に並べて配置されることにより構成された栽培システム２を用いて行われる。本実施形態では、図４及び図５に示すように、前記栽培システム２が６機の前記栽培装置１を備えている場合を例に挙げて説明する。なお、図４に示す状態を第１栽培工程、図５に示す状態を第２栽培工程と称する。
【００２１】
（第１栽培工程）
図４に示すように、前記栽培システム２において、左側３機の前記栽培装置１（以下「栽培装置１Ｌ」と称する）は前記脚部１１及び前記脚部２１を約２０°開いた状態であり、右側３機の前記栽培装置１（以下「栽培装置１Ｒ」と称する）は前記脚部１１及び前記脚部２１を約３０°開いた状態である。ここで、前記栽培システム２全体を設置するための敷地の一辺の幅はＬ０である。
そして、図４に示す第１栽培工程の状態では、前記栽培装置１Ｌにおいて、芋の苗の葉が２０枚〜５０枚に成長するまでの時期（例えば３〜８週間）の前記育苗工程が行われている。ここで、前記栽培装置１Ｌを設置するための幅はＬ１１である。
一方、図４に示す第１栽培工程の状態では、前記栽培装置１Ｒにおいて、芋の苗の葉が２０枚〜５０枚に成長した後、根又は茎が子芋として成長する時期（例えば５〜１０週間）の前成長工程が行われている。ここで、前記栽培装置１Ｌを設置するための幅はＲ１１である。前記幅Ｒ１１は、前記幅Ｌ１１に比べて広い。
【００２２】
（第２栽培工程）
その後、前記栽培装置１Ｌの芋の苗が成長すると、図５に示す第２栽培工程では、前記栽培装置１Ｌにおいて、根又は茎が子芋として成長する時期（例えば５〜１０週間）の前記成長工程が行われる。ここで、前記栽培装置１Ｌの幅Ｌ１１は前記第１栽培工程における前記栽培装置１Ｒの幅Ｒ１１と同じになる。
一方、図５に示す第２栽培工程では、前記栽培装置１Ｒにおいて、前記第１栽培工程の終了後に芋が収穫され、改めて前記栽培装置１Ｒに芋の苗が植えられた前記栽培容器５１各々が吊り下げられている。そして、前記栽培装置１Ｒにおいて、根又は茎が子芋として成長する時期（例えば５〜１０週間）の前記育苗工程が行われる。ここで、前記栽培装置１Ｒの幅Ｒ１１は前記第１栽培工程における前記栽培装置１Ｌの幅Ｌ１１と同じになる。即ち、図４及び図５に示す前記第１栽培工程及び前記第２栽培工程において前記栽培システム２の設置面積は同じである。
【００２３】
このように、前記栽培システム２では、複数の前記栽培装置１を異なる前記育苗工程及び前記成長工程で並行して交互に使用することができる。即ち、前記栽培装置１各々が芋の異なる成長段階に対応する傾斜角度で使用される。従って、芋の成長に伴って照度環境を適宜変更すると共に、前記芋の栽培に用いる圃場を効率的に利用することができるため、同じ土地面積において従来よりも芋を大量に栽培することが可能である。
これに対し、常に前記栽培装置１を前記育苗工程における使用状態（図３（Ｂ）参照）で使用する場合には、芋の成長段階において前記栽培装置１各々の下層の前記栽培容器５１の照度環境が十分ではないという問題が生じる。一方、常に前記栽培装置１を前記成長工程における使用状態（図３（Ｃ）参照）で使用する場合には、本来前記育苗工程では省減することができるはずの前記栽培システム２の占有面積が無駄になるという問題が生じる。
【００２４】
［栽培システム２の変形例］
次に、図６を参照しつつ、前記栽培システム２の変形例である栽培システム３の概略構成について説明する。
図６に示すように、前記栽培システム３において、前記栽培装置１各々には、前記脚部１１及び前記脚部２１各々に支柱６１が固定されている。また、前記栽培装置１各々において、前記脚部１１の支柱６１及び前記脚部２１の支柱６１はＸ字状を形成するリンク機構６２によって連結されている。前記リンク機構６２において、Ｘ字状の連結軸の上端部６２Ａ各々は前記支柱６１によって上下方向に摺動可能に支持されており、下端部６２Ｂ各々は前記支柱６１によって回動可能に支持されている。これにより、前記栽培装置１各々では、前記脚部１１及び前記脚部２１の開閉に伴って前記Ｘ字状のリンク機構６２が作動することになる。
また、前記栽培システム３において、隣接する前記栽培装置１各々のリンク機構６２は連結可能に構成されている。具体的に、前記栽培システム３は、隣接する前記リンク機構６２の上端部６２Ａを連結することにより前記リンク機構６２を連動して動作させる連結部材６３を備えている。前記連結部材６３は、隣接する前記リンク機構６２の上端部６２Ａを共に上下方向に移動させることにより、その隣接する二つの前記リンク機構６２を連動させるものであって、前記栽培装置１各々に着脱可能に構成されている。従って、前記栽培システム３では、前記栽培装置１各々における複数の前記支持部１２又は複数の前記支持部２２を結ぶ直線の鉛直方向に対する傾斜角度が連動して変化することになる。ここに、前記リンク機構６２及び前記連結部材６３が連動手段の一例である。
このように構成された前記栽培システム３では、前記連結部材６３によって連結された前記リンク機構６２を有する前記栽培装置１各々のいずれかの前記脚部１１及び前記脚部２１の開閉角度が変更されると、前記栽培装置１各々の前記脚部１１及び前記脚部２１の開閉角度（傾斜角度）が連動して均等に変化する。従って、前記栽培システム３によれば、ユーザーによる前記栽培装置１各々の開閉角度の変更が容易になり、植物の栽培作業の効率を向上させることができる。さらに、前記栽培システム３では前記連結部材６３が着脱可能であるため、前記栽培装置１各々の開閉時には前記連結部材６３を装着し、前記栽培装置１各々から芋を収穫する際は前記連結部材６３を取り外して前記栽培装置１各々を個々に開閉させることができる。なお、前記栽培システム３は、前記栽培装置１各々の開閉を連動させるための構成の一例であって、同様の機能を具現することができれば他の構造を採用してもよい。
ここでは、３機の前記栽培装置１を備える栽培システム３を例に挙げて説明したが、前記栽培装置１の数はこれに限らない。また、前記栽培システム２において、３機の前記栽培装置１Ｌを前記栽培システム３として構成し、３機の前記栽培装置１Ｒを前記栽培システム３として構成することが考えられる。これにより、前記栽培装置１Ｌ各々と前記栽培装置１Ｒ各々とを個別に連動して開閉することができる。
【実施例１】
【００２５】
本実施例１では、本発明に係る栽培方法を用いた馬鈴薯の栽培結果について説明する。なお、ここで用いた馬鈴薯の品種は男爵である。ここに、下記表１は、前記栽培装置１を用いて前記脚部１１及び前記脚部２１の開脚幅とその状態での栽培期間とを変化させたときの馬鈴薯の栽培結果を示している。より具体的に、前記栽培装置１では、前記脚部１１及び前記脚部２１各々の長さは１８０ｃｍであり、２本の前記脚部１１の間隔が１ｍ、２本の前記脚部２１の間隔が１ｍであって、７本の前記支持部材３１に吊り下げた合計１６０個の前記栽培容器５１を用いて馬鈴薯を栽培した。
【表１】
0005973797.tif 000002
【００２６】
上記表１に示す実施例１１のように、前記脚部１１及び前記脚部２１の開脚幅を、２５ｃｍ、５０ｃｍ、７５ｃｍの状態（開閉角度が約８°、１６°、２４°）でそれぞれ順に３週間栽培すると、前記栽培装置１を設定するために必要な面積を省減しつつ、収穫量を十分に得ると共に面積あたりの生産速度が早いという結果が得られた。特に、前記実施例１１では、従来例である比較例１１に比べて単位面積当たりの生産速度が約２倍になっていることがわかる。なお、最初の３週間では馬鈴薯の葉が２０枚程度まで増え、次の３週間では馬鈴薯の葉が５０枚程度まで増え、最後の３週間では馬鈴薯の根（小芋）が成長する。
これに対し、比較例１１のように前記脚部１１及び前記脚部２１の開脚幅が１００ｃｍの状態で９週間栽培すると、収穫量は十分に得られるが、前記栽培装置１を設定するために広い面積が必要になり、面積あたりの生産速度が遅かった。また、比較例１２のように前記脚部１１及び前記脚部２１の開脚幅を、５０ｃｍ、７５ｃｍ、１００ｃｍの状態（開閉角度が約１６°、２４°、３２°）でそれぞれ順に３週間栽培すると、収穫量は十分に得られるが、前記栽培装置１を設定するために広い面積が必要になり、面積あたりの生産速度が遅かった。
一方、比較例１３のように前記脚部１１及び前記脚部２１の開脚幅を２５ｃｍで６週間栽培し、前記脚部１１及び前記脚部２１の開脚幅を５０ｃｍで３週間栽培すると、前記栽培装置１を設定するために必要な面積を省減することができるが、収穫量が十分に得られなかった。また、比較例１４のように前記脚部１１及び前記脚部２１の開脚幅を２５ｃｍで９週間栽培すると、前記栽培装置１を設定するために必要な面積を省減することができるが、下層部の光量が不足するため収穫量が十分に得られなかった。
【実施例２】
【００２７】
本実施例２では、本発明に係る栽培方法を用いた甘藷の栽培結果について説明する。なお、ここで用いた甘藷の品種は紅アズマである。ここに、下記表２は、前記栽培装置１を用いて前記脚部１１及び前記脚部２１の開脚幅とその状態での栽培期間とを変化させたときの甘藷の栽培結果を示している。より具体的に、前記栽培装置１では、前記脚部１１及び前記脚部２１各々の長さは１８０ｃｍであり、２本の前記脚部１１の間隔が１ｍ、２本の前記脚部２１の間隔が１ｍであって、７本の前記支持部材３１に吊り下げた合計１００個の前記栽培容器５１を用いて甘藷を栽培した。
【表２】
0005973797.tif 000003
【００２８】
上記表２に示す実施例２１のように、前記脚部１１及び前記脚部２１の開脚幅を、２５ｃｍ、５０ｃｍ、７５ｃｍの状態でそれぞれ順に４週間栽培すると、前記栽培装置１を設定するために必要な面積を省減しつつ、収穫量を十分に得ると共に面積あたりの生産速度が早いという結果が得られた。特に、前記実施例２１では、従来例である比較例２１に比べて単位面積当たりの生産速度が約２倍になっていることがわかる。なお、最初の４週間では甘藷の葉が２０枚程度まで増え、次の４週間では甘藷の葉が５０枚程度まで増え、最後の４週間では甘藷の根（小芋）が成長する。
これに対し、比較例２１のように前記脚部１１及び前記脚部２１の開脚幅が１００ｃｍの状態で１２週間栽培すると、収穫量は十分に得られるが、前記栽培装置１を設定するために広い面積が必要になり、面積あたりの生産速度が遅かった。また、比較例２２のように前記脚部１１及び前記脚部２１の開脚幅を、５０ｃｍ、７５ｃｍ、１００ｃｍの状態でそれぞれ順に４週間栽培すると、収穫量は十分に得られるが、前記栽培装置１を設定するために広い面積が必要になり、面積あたりの生産速度が遅かった。
一方、比較例２３のように前記脚部１１及び前記脚部２１の開脚幅を２５ｃｍで８週間栽培し、前記脚部１１及び前記脚部２１の開脚幅を５０ｃｍで４週間栽培すると、前記栽培装置１を設定するために必要な面積を省減することができるが、収穫量が十分に得られなかった。また、比較例２４のように前記脚部１１及び前記脚部２１の開脚幅を２５ｃｍで１２週間栽培すると、前記栽培装置１を設定するために必要な面積を省減することができるが、下層部の光量が不足するため収穫量が十分に得られなかった。
【符号の説明】
【００２９】
１  ：栽培装置
２、３：栽培システム
１１、２１：脚部（支持枠の一例）
１２、２２：支持部
１３、２３：補強部材
１４、２４：車輪
１４Ａ、２４Ａ：ストッパー
３１：支持部材
４１：回動軸
５１：栽培容器
【図１】
0005973797.tif 000004
【図２】
0005973797.tif 000005
【図３】
0005973797.tif 000006
【図４】
0005973797.tif 000007
【図５】
0005973797.tif 000008
【図６】
0005973797.tif 000009